(57)【要約】      （修正有）【課題】スケジュールを記入するためのページ及び自由な内容を記入するためのページのそれぞれの記入スペースを十分に確保しつつ、それら各ページ同士の関連付けを明確にすることができるスケジュールノートを提供する。【解決手段】スケジュールノート１は、スケジュールページ５及び自由記入ページを備える。スケジュールページ５には、所定の時間区分毎にスケジュールの内容を記入するためのスケジュール記入欄６が印刷されている。自由記入ページには、ページ毎にページ番号が付されており、自由な内容を記入する。そして、スケジュールページ５の所定の時間区分に対応する内容が記入された自由記入ページに付されたページ番号を記入するためのページ番号記入欄９が、スケジュール記入欄６の時間区分毎に設けられている。【選択図】図３
0003176845.tif 000002
【実用新案登録請求の範囲】
【請求項１】
所定の時間区分毎にスケジュールの内容を記入するためのスケジュール記入欄が印刷されたスケジュールページと、
自由な内容を記入するための自由記入ページと、を備えるスケジュールノートであって、
前記自由記入ページには、ページ毎にページ番号が付されているとともに、
前記スケジュールページには、前記時間区分に対応する内容が記入された前記自由記入ページに付されたページ番号を記入するためのページ番号記入欄が、前記スケジュール記入欄の前記時間区分毎に設けられていることを特徴とするスケジュールノート。
【請求項２】
前記自由記入ページに罫線が印刷されており、そこに記入された内容に関連する内容が記入された別の前記自由記入ページに付されたページ番号を記入するためのページ番号記入欄が、前記罫線で区分けされた領域毎に、さらにその一部が区分けされて設けられていることを特徴とする請求項１に記載のスケジュールノート。
【請求項３】
関連する内容が記入されている前記自由記入ページのページ番号の集合を、当該内容の見出しとともに記入するためのインデックス欄が印刷されたインデックスページをさらに備えることを特徴とする請求項１又は２に記載のスケジュールノート。
【請求項４】
前記時間区分が、年、月、週、及び日のうちの少なくとも一つを単位とする時間区分であることを特徴とする請求項１〜３のうちのいずれか１項に記載のスケジュールノート。
【考案の詳細な説明】
【技術分野】
【０００１】
本願考案は、例えば日々の予定や連絡事項等を忘れないように記録しておくスケジュールノートに関し、特に日々のスケジュールを記入するスケジュールページと記入内容が特定の用途や目的等に限定されない自由記入ページとを備えるスケジュールノートに関する。
【背景技術】
【０００２】
近年、スケジュール帳やスケジュールノート、手帳（本明細書においては、これらをまとめて「スケジュールノート」と称する。）について、それらの利用者からの多種多様な要望に応えるべく、様々な種類のアイデアが提案されたり、実用化されたりしている（例えば、下記特許文献１〜４参照）。しかし、これまでのスケジュールノートは、一般的に、いずれも基本的な構成や使われ方が略同じである。即ち、殆ど全てのスケジュールノートは、日々のスケジュールを記入するスケジュール記入欄と、記入内容が特定の用途や目的等に限定されない自由記入欄と、を備えている。そして、スケジュール記入欄には、日々の予定や連絡事項等の日々のスケジュールの主要な項目が書き込まれる。これに対して、自由記入欄には、例えばスケジュール記入欄に記入し切れなかったスケジュールの副次的な項目や、スケジュール記入欄に記入したスケジュールの主要項目の詳細事項等のスケジュールの関連事項が書き込まれる。即ち、自由記入欄は、いわゆるメモ欄としての使われ方が一般的である。
【０００３】
また、スケジュールノートは、スケジュール記入欄及び自由記入欄（メモ欄）の構成に基づいて、一般的に２種類のタイプに大別することができる。一方は、スケジュール記入欄と自由記入欄とが分離され、別個にまとめられて異なるページに構成されているタイプである。他方は、スケジュール記入欄と自由記入欄とが共に同一又は見開きのページに構成されているタイプである。
【先行技術文献】
【特許文献】
【０００４】
【特許文献１】実用新案登録第３０８９７６６号公報
【特許文献２】実用新案登録第３１６１２７８号公報
【特許文献３】実用新案登録第３１６７７０２号公報
【特許文献４】実用新案登録第３１７１８６１号公報
【考案の概要】
【考案が解決しようとする課題】
【０００５】
しかし、前述した２種類のスケジュールノートのうち、スケジュール記入欄と自由記入欄とが分離され、別個にまとめられて異なるページに構成されているスケジュールノートでは、これまでスケジュール記入欄と自由記入欄との関連付けが明確ではなかった。このため、スケジュール記入欄に記入したスケジュールと自由記入欄に記入した当該スケジュールの関連事項とを照らし合わせる作業を簡便且つ速やかに行うことができなかった。
【０００６】
例えば、スケジュール記入欄及び自由記入欄にそれぞれ所定の事項を記入して数日経った後にスケジュール記入欄を読み返す場合、利用者の多くは、スケジュールの関連事項を自由記入欄の何処に記入したのかを明確には覚えていない。このため、利用者の多くは、スケジュール記入欄及び自由記入欄にそれぞれ所定の事項を書き込んだ際の様子を思い出しつつ、それら自由記入欄の全ページの中から該当ページを探し出す作業を強いられていた。即ち、スケジュール記入欄と自由記入欄とが分離され、別個にまとめられて異なるページに構成されているスケジュールノートでは、その構成自体がスケジュールノートの使い勝手を悪くする一因となっている。
【０００７】
これに対して、例えば特許文献１及び４に開示されている考案のように、スケジュール記入欄と自由記入欄とが共に同一又は見開きのページに構成されているスケジュールノートは、その構成上スケジュール記入欄と自由記入欄との関連付けが明確である。従って、当該スケジュールノートでは、前述したスケジュール記入欄と自由記入欄とが分離され、別個にまとめられて異なるページに構成されているスケジュールノートに生じ得る問題は基本的には起こり得ない。
【０００８】
しかし、スケジュール記入欄と自由記入欄とが共に同一又は見開きのページに構成されているスケジュールノートでは、両欄が分離され、別個にまとめられて異なるページに構成されているスケジュールノートに比べて、各記入欄、特に自由記入欄の記入スペースが必然的に狭小化し、スケジュールノートの使い勝手が悪くなる。このため、狭小化された記入スペース内に多くの情報を記入しようとした場合に、必然的に小さい字で記入しなければならず、書き込み難く、且つ、読み難くなる。
【０００９】
また、記載すべき情報量が、狭小化された記入スペースに収まり切らない場合には、溢れた記載事項を無関係な記入スペースや、異なるページの自由記入欄に書き込まなければならなくなる。すると、前述したスケジュール記入欄と自由記入欄とが分離され、別個にまとめられて異なるページに構成されているスケジュールノートと同様の問題が、両欄が共に同一又は見開きのページに構成されているスケジュールノートにおいても生ずる。
【００１０】
このように、これまでのスケジュールノートは、利用者からの要望に応えて様々なアイデアや機能が盛り込まれる一方で、基本的な構成や使われ方において改善の余地が未だ残されていた。
【００１１】
本願考案は、以上説明した課題を解決するためになされたものであり、その目的とするところは、スケジュールを記入するためのページ及び自由な内容を記入するためのページのそれぞれの記入スペースを十分に確保しつつ、それら各ページ同士の関連付けを明確にすることができるスケジュールノートを提供することにある。
【課題を解決するための手段】
【００１２】
前記課題を解決して目的を達成するために、本願の請求項１に係るスケジュールノートは、所定の時間区分毎にスケジュールの内容を記入するためのスケジュール記入欄が印刷されたスケジュールページと、自由な内容を記入するための自由記入ページと、を備えるスケジュールノートであって、前記自由記入ページには、ページ毎にページ番号が付されているとともに、前記スケジュールページには、前記時間区分に対応する内容が記入された前記自由記入ページに付されたページ番号を記入するためのページ番号記入欄が、前記スケジュール記入欄の前記時間区分毎に設けられていることを特徴とするものである。
【００１３】
本願請求項１に係るスケジュールノートにおいては、スケジュールページと自由記入ページとを分離し、別個にまとめて異なるページに構成することができる。これにより、スケジュールページ及び自由記入ページのそれぞれの記入スペースが狭小化するのを防ぐことができる。また、スケジュールページのスケジュール記入欄には、自由記入ページに付されたページ番号を記入することができるページ番号記入欄が所定の時間区分毎に設けられている。これにより、スケジュール記入欄に記入したスケジュール内容と、このスケジュール内容の関連内容等を記入した自由記入ページとを、所定の時間区分毎に容易に関連付けることができる。
【００１４】
また、本願の請求項２に係るスケジュールノートは、本願の請求項１に記載のスケジュールノートにおいて、前記自由記入ページに罫線が印刷されており、そこに記入された内容に関連する内容が記入された別の前記自由記入ページに付されたページ番号を記入するためのページ番号記入欄が、前記罫線で区分けされた領域毎に、さらにその一部が区分けされて設けられていることを特徴とするものである。
【００１５】
本願請求項２に係るスケジュールノートにおいては、自由記入ページに罫線が印刷されており、そこに記入された内容に関連する内容が記入された別の自由記入ページに付されたページ番号を記入するためのページ番号記入欄が、罫線で区分けされた領域毎に、さらにその一部が区分けされて自由記入ページに設けられている。これにより、スケジュールページから抽出されたあるスケジュール内容が記入された自由記入ページと、この自由記入ページに記入されたあるスケジュール内容に関連する内容が記入された別の自由記入ページとを、容易に関連付けることができる。
【００１６】
また、本願の請求項３に係るスケジュールノートは、本願の請求項１又は２に記載のスケジュールノートにおいて、関連する内容が記入されている前記自由記入ページのページ番号の集合を、当該内容の見出しとともに記入するためのインデックス欄が印刷されたインデックスページをさらに備えることを特徴とするものである。
【００１７】
本願請求項３に係るスケジュールノートにおいては、あるスケジュール内容に関連する内容が記入された自由記入ページのページ番号の集合を、当該内容の見出しとともにインデックスページのインデックス欄に記入することができる。これにより、スケジュールノートの利用者は、インデックス（目次）を作成して、あるスケジュール内容の関連内容が互いに不規則に離れた複数の自由記入ページに亘って記入されていても、それらの記入ページを一目瞭然で知ることができる。即ち、スケジュールノートの利用者は、自由記入ページの何ページに何が書いてあるのかを、インデックス欄を見るだけで一目瞭然に判断することができる。
【００１８】
さらに、本願の請求項４に係るスケジュールノートは、本願の請求項１〜３のうちのいずれか１項に記載のスケジュールノートにおいて、前記時間区分が、年、月、週、及び日のうちの少なくとも一つを単位とする時間区分であることを特徴とするものである。
【００１９】
本願請求項４に係るスケジュールノートにおいては、スケジュールの内容が年、月、週、及び日のうちの少なくとも一つを時間区分の単位としてスケジュールページに記入される。これにより、利用者は、スケジュールの流れを所定の時間間隔で把握することができる。
【考案の効果】
【００２０】
前述したように、本願請求項１に係る考案によれば、スケジュールを記入するためのページ及び自由な内容を記入するためのページのそれぞれの記入スペースを十分に確保しつつ、それら各ページ同士の関連付けを明確にすることができるスケジュールノートを提供することができる。
【００２１】
また、本願請求項２に係る考案によれば、自由記入ページへ記入すべき情報量が多くても、複数の自由記入ページに亘って、あるいは分けて、それらを関連付けた状態で記入することができる。従って、本願請求項２に係る考案によれば、本願請求項１に係る考案と同様の効果を得ることができるとともに、スケジュール内容に関する情報を量及び質の両面においてより充実させて、利便性及び資料性の向上を図ることができるスケジュールノートを提供することができる。
【００２２】
また、本願請求項３に係る考案によれば、スケジュールノートの利用者は、自由記入ページの何ページに何が書いてあるのかを、インデックス欄を見るだけで一目瞭然に判断することができる。従って、本願請求項３に係る考案によれば、本願請求項１に係る考案と同様の効果を得ることができるとともに、利便性及び資料性の向上を図ることができるスケジュールノートを提供することができる。
【００２３】
さらに、本願請求項４に係る考案によれば、利用者は、スケジュールの流れを所定の時間間隔で把握することができる。従って、本願請求項４に係る考案によれば、本願請求項１に係る発明と考案の効果を得ることができるとともに、利便性の向上を図ることができるスケジュールノートを提供することができる。
【図面の簡単な説明】
【００２４】
【図１】本願考案の一つの実施形態に係るスケジュールノートの全体の概要を俯瞰して示す斜視図。
【図２】図１に示すスケジュールノートを横に寝かせて開いた状態の概要を示す側面図。
【図３】図１に示すスケジュールノートが備える一つのスケジュールページを見開きで示す平面図。
【図４】図１に示すスケジュールノートが備える自由記入ページを見開きで示す平面図。
【図５】図１に示すスケジュールノートが備える自由記入ページ及びインデックスページを見開きで示す平面図。
【図６】図１に示すスケジュールノートが備える他のスケジュールページを見開きで示す平面図。
【図７】図１に示すスケジュールノートが備えるまた他のスケジュールページ及びメモ欄を見開きで示す平面図。
【考案を実施するための形態】
【００２５】
以下、本願考案の一つの実施形態に係るスケジュールノートについて説明する。先ず、図１〜図７を参照して、この一実施形態に係るスケジュールノート１の構成について説明する。
【００２６】
［スケジュールノートの構成］
図１及び図２に示すように、本実施形態に係るスケジュールノート１は、複数枚の紙葉（枚葉）２が表紙３に一体に固定された、いわゆる綴じ手帳型として構成されている。具体的には、各紙葉２は長方形状に形成されており、それらが有する一対の長辺のうちの一方の縁部が揃えられて糊等で表紙３に接着されている。また、表紙３は、互いに一体に形成された表表紙３ａ、裏表紙３ｂ、及び背表紙３ｃから構成されている。そして、表紙３は、例えば革、合成皮革、塩化ビニル等の合成樹脂、布、或いは紙等の様々な素材を用いて作成することができる。
【００２７】
なお、図１〜図７を参照する説明においては、上下左右の向きを、図１中両向き矢印で示す通りとする。従って、例えば図２は、スケジュールノート１を横に寝かせて左右に開いた状態で、その下側から臨んだ状態を示していることとなる。そして、図２においては、背表紙３ｃに対して表表紙３ａが左側に、また、裏表紙３ｂが右側にそれぞれ位置した状態となっていることとなる。なお、図１〜図７において、上下方向を縦方向と称する場合があり、左右方向を横方向と称する場合がある。
【００２８】
紙葉２の束は、その綴じ合わされた側の縁部が背表紙３ｃに対向させられて表表紙３ａと裏表紙３ｂとの間に糊等で接着されて綴じ込まれている。これにより、紙葉２の束が、表紙３から容易に外れないように製本されている。また、紙葉２の束の上部の背表紙３ｃ側には、一本の紐形状の栞４の一端部が糊等で固定されている。なお、図１においては、各紙葉２表面に印刷されたレイアウト等の図示を省略している。
【００２９】
図３に、スケジュールノート１が備える複数のスケジュールページ５の一部を左右見開きの２ページに亘って示す。本実施形態のスケジュールページ５は、互いに隣接し合う左右見開きの２ページで１ヶ月分の全ての日付（日程）を表示する構成に設定されている。この図３に示すスケジュールページ５は、２０１２年（平成２４年）の４月のスケジュール表（日程表）であるが、これはあくまで一例に過ぎない。例えば、本実施形態のスケジュールノート１は、２０１２年（平成２４年）の３月から２０１３年（平成２５年）の３月までのスケジュールページ５を備える構成とする。そして、各スケジュールページ５には、所定の時間区分である一日毎のスケジュールの内容を記入するためのスケジュール記入欄６が、各ページの略全体に亘って印刷されている。
【００３０】
なお、図３〜図７においては、それら各図の中央部において上下方向（縦方向）に延びる破線１００が示されている。この破線１００は、図３〜図７の各図において、左右見開きの２ページの左右方向（横方向）における中心線を意味するものとする。従って、図３〜図７の各図においては、破線１００より左側が見開き２ページの左側のページを意味するとともに、同右側が右側のページを意味するものとする。
【００３１】
図３に示すように、各スケジュールページ５には、ページ毎に左右方向（横方向）に複数本の罫線７が互いに平行に印刷されている。各罫線７は、スケジュールページ５の１ページにつき、概ね１ヶ月の半分（半月分）の日数をそれぞれ一日毎に均等に区分けして表示できる間隔で印刷されている。これら各罫線７で区分けされた領域が、スケジュール記入欄６の一日毎の区分記入欄、即ち日区分記入欄６’となる。本実施形態においては、見開きの２ページからなるスケジュールページ５のうち、左側のスケジュールページ５ａの最上段の日区分記入欄６’が月始めの１日に設定され、上側から下側に向けて日数が経過し、左側のスケジュールページ５ａから右側のスケジュールページ５ｂに向けて日数が経過する設定となっている。
【００３２】
これにより、各スケジュールページ５は、左右見開きの２ページ５ａ，５ｂの略全体を、１ヶ月分のスケジュールを記入するスケジュール記入欄６として利用することができる。なお、本実施形態において、各月の日付は、曜日や六曜、或いは国民の祝祭日の名称などと共に各日区分記入欄６’の左側端部に印刷されている。
【００３３】
また、各スケジュールページ５の右側端部には、日区分記入欄６’の最上段から最下段にかけて、各罫線７と直交する１本の区画線８が、ページ５の上下方向（縦方向）に印刷されている。そして、各日区分記入欄６’において、区画線８によって区画された右側の各領域９が、ページ番号記入欄となる。詳しくは、各領域９は、各日区分記入欄６’のその日付やそこに記入されたスケジュール内容に対応する内容（本願発明においては、単に「時間区分（本実施形態においては日区分）に対応する内容」と表現する。）が記入された自由記入ページ１６に付されたページ番号１７を記入するための、ページ番号記入欄となる。本実施形態の設定によれば、ページ番号記入欄９は、スケジュール記入欄６の時間区分である一日につき１つずつ設けられている。そして、各日区分記入欄６’のうち区画線８の直ぐ左側には、春分や夏至等の二十四節気や、彼岸や土用等の五行に由来する暦の雑節、或いはクリスマスその他の日常生活の節目となる様々な催事等々が予め印刷されている。
【００３４】
各スケジュールページ５の最上段の日区分記入欄６’には、これを構成する２本の罫線７のうち上側の罫線７の直ぐ下側に１時間毎に時刻７ａが印刷されている。本実施形態においては、一般的な社会人の就業時間帯や一般的な学生の授業時間帯等と概ね重なるように、スケジュール記入欄６の左側端部から右側端部に向けて、午前８時から午後６時まで１時間おきに時刻７ａが等間隔で印刷表示されている。また、スケジュール記入欄６の午後６時よりも右側には、時刻７ａは明示されてはいないが、前述した各表示時刻７ａと等間隔で複数の目盛７ｂが印刷されている。同様に、各スケジュールページ５の最上段以外の日区分記入欄６’の上側の罫線７の直ぐ下側にも、各スケジュールページ５の上下方向において前述した各表示時刻７ａ及び各目盛７ｂと一直線上に位置するように複数の目盛７ｃが印刷されている。
【００３５】
また、スケジュール記入欄６には、日区分記入欄６’の最上段から最下段に亘って実線から成る各罫線７よりも薄い２本の点線１０が印刷されている。これら各点線１０は、各表示時刻７ａのうち正午１２時と夕方６時に合わせて印刷されており、最上段以外の日区分記入欄６’においても、各目盛７ｃの意図する時刻を容易に把握できるようになっている。
【００３６】
各スケジュールページ５のうち、１ヶ月の前半部分を表示する左側のスケジュールページ５ａのスケジュール記入欄６の直ぐ上側には空白領域１１が設けられており、例えば当該スケジュールページ５が表す月の見出し欄として利用することができる。また、見出し欄１１の上側の領域のうちの左側は、当該スケジュールページ５が表す月を年と共に表す年月表示部１２となっている。一方、見出し欄１１の上側の領域のうちの右側には、２本の補助罫線１３が上下２段で印刷されており、例えば当該スケジュールページ５が表す月の簡易メモ欄として利用することができる。これらに対して、１ヶ月の後半部分を表示する右側のスケジュールページ５ｂのスケジュール記入欄６の上側の領域には、当該スケジュールページ５が表す月及びその前後の連続する３カ月分のカレンダー１５が印刷されている。
【００３７】
以上の如き構成により、スケジュールノート１の利用者は、前後の月のカレンダーを参考に当該スケジュールページ５が表す月の月内スケジュールが立て易く、且つ、把握し易くなる。従って、本実施形態のスケジュールページ５は、いわゆる月間予定表として機能する。
【００３８】
図４に、スケジュールノート１が備える複数の自由記入ページ１６の一部を左右見開きの２ページに亘って示す。これら各自由記入ページ１６は、その名称の通り、自由な内容を記入するためのページである。各自由記入ページ１６は、前述した各スケジュールページ５とは異なるページに構成されている。各自由記入ページ１６には、ページ毎にページ番号１７が付されている。本実施形態においては、図４に示すように、各自由記入ページ１６の下端部の中央部にページ番号１７が付されている。図４においては、各自由記入ページ１６のうち２ページ目及び３ページ目を示すが、これはあくまで一例に過ぎない。例えば、本実施形態のスケジュールノート１は、合計１４０ページの自由記入ページ１６を備える構成とする。そして、各自由記入ページ１６には、自由な内容を記入するための自由記入欄１８が、各ページの大半の面積に亘って印刷されている。
【００３９】
自由記入欄１８は、ページ毎に左右方向（横方向）に複数本の罫線１９が互いに平行に印刷されて成る。各罫線１９同士の間隔は、前述したスケジュールページ５の各罫線７同士の間隔の約半分の大きさに設定され、１ページにつき３０行（３０段）の自由記入行１８’が各罫線１９間に設けられている。
【００４０】
また、各自由記入ページ１６の右側端部には、各罫線１９と直交する１本の区画線２０が、自由記入ページ１６の上下方向に印刷されている。そして、各自由記入行１８’において、区画線２０によって区画された右側の各領域２１が、ページ番号記入欄となる。詳しくは、各領域２１は、ある自由記入ページ１６の自由記入欄１８に記入された内容に関連する内容が記入された別の自由記入欄１８を含む自由記入ページ１６に付されたページ番号１７を記入するための、ページ番号記入欄となる。
【００４１】
また、各自由記入ページ１６の最上段の罫線１９の直ぐ下側には、複数の目盛１９ａが等間隔で印刷され、最下段の罫線１９の直ぐ上側にも、複数の目盛１９ｂが等間隔で印刷されている。これら各目盛１９ａと各目盛１９ｂとは、各自由記入ページ１６の左右方向位置が一致するように配置されており、スケジュールノート１の利用者は、これら各目盛１９ａ，１９ｂ同士を線で結ぶなどして利用することにより、自由記入欄１８を適宜、好ましい構成（レイアウト）にして利用することができる。
【００４２】
各自由記入ページ１６について、自由記入欄１８の上側の領域のうちの左側部には、２本の補助罫線２３が上下２段で印刷されている。これら各補助罫線２３が印刷された領域２４は、例えば当該自由記入ページ１６に記入された内容の大見出し欄として利用することができる。一方、自由記入欄１８の上側の領域のうちの右側部には、当該自由記入ページ１６を利用した年月日等を記入することができる日付記入欄２５が設けられている。本実施形態において、各自由記入ページ１６は、前述した各スケジュールページ５と異なり、左右見開きの２ページ共に同一のページ構成（ページレイアウト）となっている。
【００４３】
図５に、前述した自由記入ページ１６の１ページ目と、スケジュールノート１がさらに備える複数のインデックスページ２６の最終ページとを、左右見開きの２ページに亘って示す。各インデックスページ２６は、前述した各スケジュールページ５や自由記入ページ１６とは異なるページ、例えば全２ページに亘って構成されている。そして、各インデックスページ２６には、互いに関連する内容が記入されている複数の自由記入ページ１６のページ番号１７の集合を、当該内容の見出しとともに記入するためのインデックス欄２７が印刷されている。このインデックス欄２７は、各インデックスページ２６の大半の面積に亘って印刷されている。
【００４４】
具体的には、インデックス欄２７は、各インデックスページ２６の左右方向（横方向）に印刷された複数本の罫線２８と、各インデックスページ２６の上下方向（縦方向）に印刷された４本の区画線２９とによって区画された複数の領域から構成されている。これら各罫線２８及び各区画線２９のうち、最上段の罫線２８ａ及び最下段の罫線２８ｂと、最も左側の区画線２９ａ及び最も右側の区画線２９ｄとで、インデックス欄２７の外枠が構成されている。各罫線２８は、例えば前述した自由記入ページ１６の各罫線１９と略同じ間隔で同じ本数印刷されており、１ページにつき３０行（３０段）のインデックス区分行２７’が各罫線２８間に設けられている。そして、これら各インデックス区分行２７’は、左から２番目の区画線２９ｂ及び３番目の区画線２９ｃにより左右方向に３分割されている。
【００４５】
この３分割されたインデックス区分行２７’のうち、区画線２９ａと区画線２９ｂとで区切られた最も左寄りの領域２７ａには、例えばインデックス項目（内容の見出し）の通し番号や、インデックス欄２７に記入した内容が元々記入されていたスケジュールページ５の日付等を記入することができる。後者の場合、領域２７ａは、日付記入欄となる。
【００４６】
また、区画線２９ｂと区画線２９ｃとで区切られたインデックス区分行２７’の中央部の領域２７ｂには、例えば対応する自由記入ページ１６の内容の見出しを記入することができる。即ち、領域２７ｂは、見出し記入欄（インデックス項目記入欄）として利用することができる。
【００４７】
さらに、区画線２９ｃと区画線２９ｄとで区切られたインデックス区分行２７’の最も右寄りの領域２７ｃには、例えば見出し記入欄２７ｂに記載された内容（項目）が記入されている全ての自由記入ページ１６のページ番号１７の集合を記入することができる。即ち、領域２７ｃは、ページ番号群記入欄として利用することができる。
【００４８】
このような構成から成るインデックスページ２６のインデックス欄２７は、スケジュールノート１の目次欄として機能する。本実施形態において、各見出し記入欄２７ｂと各ページ番号群記入欄２７ｃとは、互いに略等しい大きさに形成されている。各ページ番号群記入欄２７ｃには、見出し記入欄２７ｂに対応する内容が記入されている自由記入ページ１６の集合、即ちページ範囲（例えば「７〜１２」）や、具体的なページ番号（例えば「３１，３２，３３」）等を記入することができる。また、このページ数が１ページしかない場合には、当該１ページのページ番号（例えば「４２」）を記入すればよい。
【００４９】
図６及び図７においては、先に詳述したスケジュールページ５、自由記入ページ１６、及びインデックスページ２６以外の、本実施形態のスケジュールノート１が備える各種ページを図示する。
【００５０】
先ず、図６に、スケジュールノート１の対象となる１年の全日程が左右見開きの２ページで全て見渡せるようにレイアウトされた第２のスケジュールページ３０（３０ａ，３０ｂ）を示す。この第２のスケジュールページ３０は、前述したスケジュールページ５を第１のスケジュールページ５とすると、この第１のスケジュールページ５の機能を補助する機能を有する。即ち、スケジュールノート１の利用者は、第２のスケジュールページ３０を用いることにより、第１のスケジュールページ５に記入された各月、各日毎に分断されたスケジュールの概要を、１年単位の流れとして把握することができる。
【００５１】
次に、図７に、前述した自由記入ページ１６とは異なる他の自由記入ページ３１、及び同じく前述した第１及び第２の各スケジュールページ５，３０とは異なる他のスケジュールページ３２を、左右見開きの２ページに亘って示す。
【００５２】
見開きの左側の他の自由記入ページ３１は、前述した自由記入ページ１６を第１の自由記入ページ１６とすると、この第１の自由記入ページ１６とは異なる目的に利用可能な第２の自由記入ページとなる。本実施形態において、この第２の自由記入ページ３０には、例えば「今年の目標など」を書き込むことができる。
【００５３】
見開きの右側の他のスケジュールページ３２は、前述した第１及び第２の各スケジュールページ５，３０に対して、第３のスケジュールページと称することができる。この第３のスケジュールページ３２には、１ヶ月ごとのスケジュールの概要を書き込むことができる。これにより、一日毎の時間区分単位で毎日のスケジュールを詳細に把握するために設けられた第１のスケジュールページ５と、一年の時間区分単位でスケジュールの流れを大まかに把握するために設けられた第２のスケジュールページ３０との中間的な時間区分単位でスケジュールを把握することができる。
【００５４】
以上で、本実施形態に係るスケジュールノート１の構成についての説明を終了とする。次に、本実施形態に係るスケジュールノート１の利用方法について具体例を挙げて説明する。なお、この利用方法の説明では、便宜上、「スケジュールページ５」、「自由記入ページ１６」、及び「ページ番号１７」についてそれぞれの符号を省略して、単に「スケジュールページ」、「自由記入ページ」、及び「ページ番号」と称することとする。
【００５５】
［スケジュールノートの利用方法］
（第１の利用例）
例えば、４月２３日の午前１１時に案件Ａについて第一回打ち合わせ（会議）を行うとする。この場合、第一回打ち合わせを行うのに先立って、図３に示すスケジュール記入欄６の４月２３日の日区分記入欄６’に、「１１：００、案件Ａ打ち合わせ第一回」と記入（メモ）する。この際、午前１１時に相当する目盛７ｃに矢印で矢示しておくと、後に時刻を把握し易い。そして、実際に打ち合わせを行う前の当該第一回打ち合わせで話し合う内容や発表する内容等を、図４に示す自由記入ページの所定のページ（例えば「４１ページ」）の自由記入欄１８（自由記入行１８’）に記入する。さらに、この第一回打ち合わせの事前の発表内容等が記入された自由記入ページのページ番号（この例では「４１」）を、第一回打ち合わせが行われる４月２３日の日区分記入欄６’のページ番号記入欄９に記入しておく。
【００５６】
そして、第一回打ち合わせを行っている最中、若しくは第一回打ち合わせが行われた後に、当該第一回打ち合わせの実際の会議内容の記録を、前述した第一回打ち合わせに関する事前の発表内容等が記入されたページ（この例では「４１ページ」）以外の所定のページ（例えば「４２ページ」）の自由記入ページの自由記入欄１８（自由記入行１８’）に記入する。それとともに、当該ページ（この例では「４２ページ」）の自由記入ページの日付記入欄２５に「４月２３日」の日付を記入する。さらに、この第一回打ち合わせの実際の会議内容等が記入された自由記入ページのページ番号（この例では「４２」）を、第一回打ち合わせが行われた４月２３日の日区分記入欄６’のページ番号記入欄９、及び第一回打ち合わせに関する事前の発表内容等が記入された自由記入ページ（この例では４１ページ）の自由記入欄１８（自由記入行１８’）のページ番号記入欄２１に記入する。
【００５７】
この第１の利用方法によれば、実際に打ち合わせを行うのに先立って当該第一回打ち合わせの発表内容等を確認する際に、当該発表内容等が記入された自由記入ページを、スケジュールページから迅速に開くことができるので便利である。また、第一回打ち合わせの事前の発表内容等と実際に行われた第一回打ち合わせの会議内容等を後で照らし合わせる際にも、それら各内容が記入されたそれぞれの自由記入ページを迅速に開くことができるので便利である。
【００５８】
（第２の利用例）
例えば、第１の利用例の項で述べた第一回打ち合わせに引き続いて、５月６日の午後２時に案件Ａについての第二回打ち合わせを行うとする。この場合、第二回打ち合わせを行うのに先立って、第１の利用例と同様に、図３に示すスケジュール記入欄６の５月６日の日区分記入欄６’に、「２：００、案件Ａ打ち合わせ第二回」と記入するとともに、午後２時に相当する目盛７ｃに矢印で矢示する。
【００５９】
そして、実際に打ち合わせを行う前に当該第二回打ち合わせで話し合う内容や発表する内容等を、第１の利用例と同様に、図４に示す自由記入ページの所定のページ（例えば「４３ページ」）の自由記入欄１８（自由記入行１８’）に記入する。それとともに、この第二回打ち合わせの事前の発表内容等が記入された自由記入ページのページ番号（この例では「４３」）を、第二回打ち合わせが行われる５月６日の日区分記入欄６’のページ番号記入欄９に記入しておく。さらに、この第二回打ち合わせの事前の発表内容等が記入された自由記入ページのページ番号（この例では「４３」）を、前述した第一回打ち合わせに関する内容が記入された自由記入ページのうち最終ページ（前述した第１の利用例では「４２ページ」）の自由記入ページの自由記入欄１８（自由記入行１８’）のページ番号記入欄２１に記入しておく。
【００６０】
そして、第二回打ち合わせを行っている最中、若しくは第二回打ち合わせが行われた後に、当該第二回打ち合わせの実際の会議内容の記録を、前述した第二回打ち合わせに関する事前の発表内容等が記入されたページ（この例では「４３ページ」）以外の所定のページ（例えば「４５ページ」）の自由記入ページの自由記入欄１８（自由記入行１８’）に記入する。それとともに、当該ページ（この例では「４５ページ」）の自由記入ページの日付記入欄２５に「５月６日」の日付を記入する。さらに、第二回打ち合わせの実際の会議内容を記録した自由記入ページのページ番号（この例では「４５」）を、前述した第二回打ち合わせの事前の発表内容等を記録した自由記入ページ（この例では４３ページ）の自由記入欄１８（自由記入行１８’）のページ番号記入欄２１に記入する。
【００６１】
この第２の利用例のように、ある自由記入ページの自由記入欄１８（自由記入行１８’）の右端に設けられたページ番号記入欄２１には、当該自由記入ページに記載された事項の続きの事項を記載した自由記入ページのページ番号を参考程度にメモしておくとよい。すると、１つのテーマについて複数回に亘って打ち合わせ（会議）を行う場合に、その事前事後の別を問わず各回の打ち合わせ内容や議事録を記載した複数の自由記入ページを連続して迅速に開くことができるので大変便利である。
【００６２】
なお、前述したように、打ち合わせの前後を含めた第二回打ち合わせに関する内容記録が複数ページ（この例では「４３，４５ページの２ページ」）の自由記入ページに亘る場合には、それらのうちの最初のページのページ番号（この例では「４３」）を、第一回打ち合わせに関する内容が記載された自由記入ページの自由記入欄１８（自由記入行１８’）のページ番号記入欄２１に記入すればよい。そして、第二回打ち合わせに関する内容を記録した最初のページ（この例では「４３ページ」）の自由記入ページの自由記入欄１８（自由記入行１８’）のページ番号記入欄２１に、次の自由記入ページのページ番号（この例では「４５」）を記入すればよい。以下、第二回打ち合わせの会議内容の記録が複数の自由記入ページの最後のページに至るまで、同様の記入方法とすればよい。
【００６３】
また、同じく打ち合わせの前後を含めた第一回打ち合わせに関する内容記録が複数ページ（前述した例では「４１，４２ページの２ページ」）の自由記入ページに亘る場合には、それらのうちの最後のページ（前述した例では「４２ページ」）の自由記入ページの最終の自由記入欄１８（自由記入行１８’）のページ番号記入欄２１に、第二回打ち合わせに関する内容が記録された複数ページ（この例では「４３，４５ページの２ページ」）の自由記入ページのうち、最初のページのページ番号（この例では「４３」）を記入すればよい。
【００６４】
（第３の利用例）
例えば、前述した第１及び第２の各利用例における打ち合わせの案件Ａが、「電子出版」に関するものであるとする。この場合、図５に示すインデックスページ２６のインデックス欄２７のうち、所定のインデックス区分行２７’の見出し記入欄（インデックス項目記入欄）２７ｂに「電子出版」という項目を記入する。そして、この「電子出版」という項目が記入された見出し記入欄２７ｂに隣接するページ番号群記入欄２７ｃに、「電子出版」に関する内容が記載された複数の自由記入ページのページ番号（例えば「５４，５５，５６」）を全て記入する。
【００６５】
このような利用方法によれば、複数の自由記入ページに記入された多種多様な内容の中から「電子出版」に関する内容（メモ）だけを連続して読みたいと思った場合に、「電子出版」に関する内容が記入された自由記入ページ（この例では「５４，５５，５６」の各ページ）だけを選択して迅速に開くことができるので大変便利である。即ち、インデックスページ２６を、「電子出版」に関する目次（インデックス）として有効利用することができる。以上で、本実施形態に係るスケジュールノート１の利用方法についての説明を終了する。
【００６６】
以上説明したように、本実施形態に係るスケジュールノート１によれば、スケジュールページ５と自由記入ページ１６とを分離し、別個にまとめて異なるページに構成することができる。これにより、スケジュールページ５及び自由記入ページ１６のそれぞれの記入スペースが同一ページ内で互いに干渉し合って狭小化するのを防ぐことができる。
【００６７】
また、スケジュールページ５のスケジュール記入欄６には、自由記入ページ１６に付されたページ番号１７を記入することができるページ番号記入欄９が所定の時間区分毎に設けられている。そして、自由記入ページ１６には、スケジュール記入欄６に記入したスケジュールの内容のうち所定の内容を抽出して記入することができるとともに、その抽出した内容についてのより詳細な事項や関連事項等を記入することができる。さらに、スケジュール記入欄６に設けられたページ番号記入欄９には、スケジュール記入欄から抽出された所定の内容が記入された自由記入ページ１６に付されたページ番号１７を、その抽出内容に対応する時間区分毎に記入することができる。
【００６８】
これらにより、時間区分毎のスケジュールの内容とこの内容の詳細事項や関連内容等とを照らし合わせて確認する作業などを、簡便且つ速やかに行うことができる。即ち、スケジュール記入欄６に記入したスケジュール内容と、このスケジュール内容の関連内容等を記入した自由記入ページ１６とを、所定の時間区分毎に容易に関連付けることができる。従って、本実施形態のスケジュールノート１によれば、スケジュールを記入するためのページ５及び自由な内容を記入するための自由記入ページ１６のそれぞれの記入スペースを十分に確保しつつ、それら各ページ５，１６同士の関連付けを明確にすることができる。
【００６９】
また、本実施形態に係るスケジュールノート１によれば、自由記入ページ１６に罫線１９が印刷されており、そこに記入された内容に関連する内容が記入された別の自由記入ページ１６に付されたページ番号１７を記入するためのページ番号記入欄２１が、罫線１９毎に一部が区分けされて自由記入ページ１６に設けられている。これにより、スケジュールページ５から抽出されたあるスケジュール内容が記入された自由記入ページ１６と、この自由記入ページ１６に記入されたあるスケジュール内容に関連する内容が記入された別の自由記入ページ１６とを、容易に関連付けることができる。
【００７０】
例えば、スケジュールページ５から複数の内容を抽出するとともに、当該複数の内容毎の詳細事項や関連内容等を複数の自由記入ページ１６に亘って記載しても、それら各ページ１６を簡便且つ速やかに探し出すことができる。即ち、自由記入ページ１６へ記入すべき情報量が多くても、複数の自由記入ページ１６に亘って、あるいは分けて、それらを関連付けた状態で記入することができる。従って、本実施形態のスケジュールノート１によれば、スケジュール内容に関する情報を量及び質の両面においてより充実させて、利便性及び資料性の向上を図ることができる。
【００７１】
また、本実施形態に係るスケジュールノート１によれば、あるスケジュール内容に関連する内容が記入された自由記入ページ１６のページ番号１７の集合を、当該内容の見出しとともにインデックスページ２６のインデックス欄２７に記入することができる。これにより、スケジュールノート１の利用者は、インデックス（目次）を作成して、あるスケジュール内容の関連内容が互いに不規則に離れた複数の自由記入ページ１６に亘って記入されていても、それらの自由記入ページ１６を一目瞭然で知ることができる。
【００７２】
例えば、スケジュールノート１の利用者は、確認したいスケジュール内容やその関連内容等が記入されているスケジュールページ５及び自由記入ページ１６を、たとえそれら各ページ５，１６が複数ページに亘っていたとしても、インデックスページ２６から一括して探し出すことができる。即ち、スケジュールノート１の利用者は、自由記入ページ１６の何ページに何が書いてあるのかを、インデックス欄２７を見るだけで一目瞭然に判断することができる。従って、本実施形態のスケジュールノート１によれば、利便性及び資料性のさらなる向上を図ることができる。
【００７３】
さらに、本実施形態に係るスケジュールノート１によれば、スケジュールの内容が年、月、週、及び日のうちの少なくとも一つを時間区分の単位としてスケジュールページ５に記入される。これにより、スケジュールノート１の利用者は、スケジュールの流れを所定の時間間隔で把握することができる。従って、本実施形態のスケジュールノート１によれば、またさらに利便性の向上を図ることができる。
【００７４】
なお、本願考案に係るスケジュールノートは、前述した一実施形態には限定されない。本願発明の要旨を逸脱しない範囲内であれば、その構成や設定等々を種々様々に変更したり、あるいはそれら変更したもの同士を任意に組み合わせたりして実施して構わない。従って、そのような変更や組み合わせを以ってしてもなお、本願発明の構成を実質的に具備する限り、それら変更や組み合わせは本願発明の技術的範囲に含まれる。
【００７５】
例えば、前述した一実施形態においては、スケジュールページ５の時間区分が１ヶ月且つ毎日を単位とする時間区分であったが、これには限定されない。スケジュールページ５の時間区分は、年、月、週、及び日のうちの少なくとも一つを単位とする時間区分であればよい。例えば図７中見開きの右側に示す第３のスケジュールページ３２のように、スケジュールページ５の時間区分の単位が１ヶ月単位であるとする。この場合、スケジュールページ５の前述したスケジュール記入欄６と同様に、それら各ページ３２のスケジュール記入欄の右端部に縦方向に区画線を印刷して、スケジュール記入欄の１ヶ月毎の区分記入欄、即ち月区分記入欄の例えば右端部にページ番号記入欄を設けるとよい。これにより、１ヶ月毎のスケジュールに対応する内容が記載された自由記入ページ１６を、迅速に探し出すことができる。
【００７６】
同様に、スケジュールページの時間区分の単位が、年ならばスケジュール記入欄の時間区分毎の区分記入欄は年区分記入欄となり、週ならばスケジュール記入欄の時間区分毎の区分記入欄は週区分記入欄となる。そして、それら年区分記入欄毎や週区分記入欄毎にページ番号記入欄を設けるとよい。また、スケジュールページ５の表示形式は、前述した１ヶ月毎のダイアリー形式のみならず、例えばカレンダー形式で表示しても構わない。
【００７７】
また、自由記入ページ１６には必ずしも罫線１９や区画線２０を印刷する必要はない。即ち、自由記入ページ１６の自由記入欄１８は無地（白紙）の状態でも構わない。但し、ページ番号１７は必要である。この場合、スケジュールノート１の利用者は、自由記入欄１８内に罫線にとらわれずに自由に記入することができる。
【００７８】
また、本願考案に係るスケジュールノートは、前述した綴じ手帳型のスケジュールノート１には限定されない。本願考案に係るスケジュールノートは、差し込み式手帳、バインダー式手帳、あるいはシステム手帳等々、様々な形態に適用することができる。そして、これらのような様々な形態において、各紙葉２同士の綴じ合わせ部の付近にミシン目を予め入れておき、表紙３から切り離し自在若しくは取り外し自在な設定としても構わない。
【符号の説明】
【００７９】
１    スケジュールノート
５    スケジュールページ
６    スケジュール記入欄
９    スケジュールページのページ番号記入欄
１６  自由記入ページ
１７  ページ番号
１９  自由記入ページの罫線
２１  自由記入ページのページ番号記入欄
２６  インデックスページ
２７  インデックス欄
【図１】
0003176845.tif 000003
【図２】
0003176845.tif 000004
【図３】
0003176845.tif 000005
【図４】
0003176845.tif 000006
【図５】
0003176845.tif 000007
【図６】
0003176845.tif 000008
【図７】
0003176845.tif 000009